(57)【要約】    【課題】  市販されている除湿機に搭載されている機能では、室内空気温度（＋１０℃）の低い冬場、ふとん乾燥機能を働かせようとしても、短時間に除湿運転が数回入り効率の良い除湿運転が出来ないと云う課題があった。    【解決手段】圧縮機及びファン等を運転し、除湿作用を行なうと共に吐出空気を加熱するヒータを備えた除湿機に於いて、上記吐出空気を加熱するヒータの入・切温度を冬場の室内空気温度より２倍以上高い設定値とすると共に、吐出空気温度が樹脂の変形温度近くに達した時（第２の設定値）、上記ヒータへの通電を一時的に中断する運転を行なわせる操作ボタン（冬モード）を操作表示板内に設けたものである。    【選択図】  図１２
2006263632.tif 000002
【特許請求の範囲】
【請求項１】
圧縮機及びファン等を運転し、除湿作用を行なうと共に吐出空気を加熱するヒータを備えた除湿機に於いて、上記吐出空気を加熱するヒータの入・切温度を室内空気温度より２倍以上高い設定値とすると共に、吐出空気温度が樹脂の変形温度である第２の設定値に達した時、上記ヒータへの通電を中断する運転を行なわせる操作ボタンを操作表示板内に設けた除湿機。
【請求項２】
前記室内空気より２倍以上高い設定値温度を３５℃〜３２℃とし、３５℃でヒータ通電を中止し、３２℃以下でヒータへの通電を開始するようにした請求項１記載の除湿機。
【請求項３】
前記第２の設定温度を７０℃とした請求項１記載の除湿機。
【請求項４】
前記操作ボタンによる運転はタイマーにより最大で９時間運転される請求項１記載の除湿機。
【発明の詳細な説明】
【技術分野】
【０００１】
本発明は、冷凍サイクルをもって室内の湿度を適湿に保持する機能を備えた除湿機に関する。
【背景技術】
【０００２】
一般に市販されている最近の除湿機には連続除湿機能、自動除湿機能の他、衣類乾燥機能、結露防止機能、ふとん乾燥機能等が付帯されている。
【０００３】
これを図１４〜図１５に於いて説明する。
【０００４】
図１４は従来構造を有する除湿機の斜視図であり、図１５は図１４の縦断面図である。
【０００５】
図に於いて、３１は除湿機本体であり、質量が５ｋｇ〜１５ｋｇ程度を有している。３２、３３は上記除湿機の外殻を形成する前箱体３２と後箱体３３である。これらは何れも射出成形等で作られている為樹脂で構成されている。
【０００６】
勿論、除湿機には図には示してないが、除湿機本体を移動する時に使用するハンドル（把手）が設けられている。而して上記除湿機本体３１の概略構造を図１５を用いて説明する。３５は蒸発器であり３６は凝縮器である。これらは図には示してないが圧縮機３４、減圧器（キャピラリチューブ）を伴なって冷凍サイクルを構成している。
【０００７】
３７は送風機である。通常、特許文献１に記載されているように、この除湿機の除湿運転では室内空気が矢印Ｑに示す如く蒸発器３５、凝縮器３６、送風機３７を通り吹出口３８を経由して室外に吹き出されていく。この過程に於いて、室内空気中の水分は蒸発器３５に結露し、水滴となり落下し、貯水タンク３９に溜められるものである。
【０００８】
即ち、ここで云う除湿機は５℃〜１０℃前後に冷却された蒸発器３５に室内の湿度を含んだ例えば２０℃〜３０℃の空気を接触させることにより、上記室内空気を露点温度以下とし、空気中の水分を蒸発器３５に結露させ湿度を取ると共に凝縮器３６で蒸発器３５で冷却された室内空気を、室内とほぼ同じ温度にまで暖め、再び室内に戻す機能を有しているものである。
【０００９】
ここに於いて、先の連続除湿機能とは冷凍サイクルの運転（圧縮機の運転）を断続させることなく連続して運転し、貯水タンク３９が満水となっていない間は除湿運転を継続する機能であり、自動除湿機能とは室内の湿度が設定値に入っている時には先の冷凍サイクルの運転を停止させ、外れたら再び運転を再開する機能である。衣類乾燥機能、結露防止機能、ふとん乾燥機能とは上記冷凍サイクル運転に併用して除湿機内に組み込まれたヒータを入・切して、吐出空気温度を上げながら除湿を行なうものである。
【００１０】
【特許文献１】特開平９−２８０６３５号公報
【発明の開示】
【発明が解決しようとする課題】
【００１１】
最近の除湿機は、単に室内の湿度をコントロールして、快適室内を提供するだけでなく、加熱用ヒータを採用し、結露防止或いはふとん乾燥等が出来るようにしている。
【００１２】
結露防止とは、冬場良く経験する窓ガラス等に水滴が着き、窓を汚したり、ひどい時には凍結で窓が動かなくなったりするのを防止する為の運転（機能）である。この機能は、除湿機本体内にヒータを内蔵させ、室内の水分を出来るだけ多く蒸発器に集めるようにした機能である。
【００１３】
この時にあって、蒸発器温度が０℃以下となると、室内の水分は蒸発器表面に露でなく霜となって付着する。霜が付着すると、その霜により蒸発器表面は断熱され蒸発能力は極端に落ちてしまうことは良く知られていることである。
【００１４】
そこで、上記ヒータで吐出空気を加熱し、室温を高めようとするものであるが従来の運転モードは、除湿機への空気吸い込み温度が１５℃前後になるとヒータを切ってしまう。
【００１５】
これは、あくまでも吸い込み空気温度が１５℃前後となることを前提とした設計であり、実際には、この１５℃前後を確保することは難しかった。
【００１６】
何故ならば、上記吸い込み空気温度を検出する温度センサーには±３℃前後のバラツキがあること。それに検出位置により、この温度が±３℃前後変えること等を考慮するとバラツキにより上記＋１５℃の設定温度では＋１０℃前後となる可能性が往々にしてあった。吸い込み空気温度が＋１０℃に下がれば当然凝縮器の放熱効果が促進され蒸発器温度も低下する。
【００１７】
通常吸い込み空気が＋１５℃、蒸発器温度が＋５℃の場合、吸い込み空気温度が＋１０℃となると蒸発器温度は０℃となり着霜を開始してしまう。従って、バラツキにより先の＋１０℃前後となってしまう除湿機にあっては当然この着霜現象がしばしば生じてしまう。
【００１８】
この着霜が起きると上記除湿機は除湿運転を止め除霜運転に入らなければならなくなる。この除霜運転は蒸発器をヒータで加熱したり冷凍サイクル中のホットガスを蒸発器に流し、上記蒸発器を加熱し霜を除霜する方式のものである。こうなると除湿機が一時的に加湿器となり、除湿機としてはこの除霜運転を極力減らすことが望ましい。
【００１９】
ところが、従来の除湿機にあっては吐出し空気温度（室内の空気温度を高める役目を果す）を高めるヒータの通電を、バラツキを考えた吸い込み空気温度で制御していなかったと云う課題がある。
【００２０】
この為冬場の如く室内空気温度が１０℃以下になる時には、上記除湿機が本来の機能を発揮しなくなると云う事となっていた。
【００２１】
又、従来除湿機に設けられていたふとん乾燥機能とは必要な時（夏冬問わず）ふとん中に含まれる湿気を、除湿機をもって取り除くことを目的とする機能である。ふとん乾燥は通常１〜３時間の範囲で圧縮機及びヒータを連続運転し、空気を暖めながら、室内（押し入れ内）の湿気を除湿機により除去するものである。
【００２２】
このものは、上記圧縮機及びヒータを所定時間運転し、ふとん中の湿気を取り除くものである。
【００２３】
この為特に夏場の室内空気温度の高い時等に上記ヒータを連続運転すると室内空気温度が７０℃を超えてしまうことが往々にして生じる。
【００２４】
室内空気温度が７０℃を超えると、除湿機本体に使われている樹脂部品は勿論、室内にある樹脂部材が軟化する温度となり、非常に問題となる課題があった。
【００２５】
この樹脂部材の代表例はポリスチレン、或いはアクリロニトリルブタジエンスチレンであり、これらは何れも変形温度が７０℃近辺とされている。
【００２６】
換言すると、ふとん乾燥機能は吸い込み温度或いは吐出温度を検出することなく、圧縮機或いはヒータを入・切させ乾燥時間を短縮することのみを追及した機能であったと云うことである。
【００２７】
この為この機能をそのまま冬季の除湿機として採用することは難しいことは勿論、衣類乾燥機能として使うことは出来なかった。即ち、単にヒータを連続させて運転するものであっては長時間運転させることは温度上昇の面からも難しいことは勿論運転時間が１〜３時間と決められていたのでは長時間外出時には活用出来ないと云う課題があった。
【００２８】
本発明に目的は、冬季のように室温が低い場合においても除霜運転をなるべく行わず筐体を形成する除湿機のダメージを抑制した除湿機を提供することにある。
【課題を解決するための手段】
【００２９】
上記目的は、圧縮機及びファン等を運転し、除湿作用を行なうと共に吐出空気を加熱するヒータを備えた除湿機に於いて、上記吐出空気を加熱するヒータの入・切温度を室内空気温度より２倍以上高い設定値とすると共に、吐出空気温度が樹脂の変形温度である第２の設定値に達した時、上記ヒータへの通電を中断する運転を行なわせる操作ボタンを操作表示板内に設けた除湿機とすることにより達成される。
【発明の効果】
【００３０】
本発明によれば、冬季のように室温が低い場合においても除霜運転をなるべく行わず筐体を形成する除湿機のダメージを抑制した除湿機を提供することができる。
【発明を実施するための最良の形態】
【００３１】
以下本発明の実施の形態を図１〜図８にて説明する。
【００３２】
図１は本発明を備えた除湿機の正面図であり、図２は図１のＡ−Ａ断面図であり、図３は図１の上面図であり、図４は図３のＢ−Ｂ拡大断面図であり、図５は図３のＣ−Ｃ断面図であり、図６は本発明の補強部材の要部詳細を示す斜視図であり、図７は図６を矢印Ｐ方向から見た要部詳細斜視図であり、図８は図１の運転操作部の詳細図である。
【００３３】
先ず図１、図２に於いて、１は除湿機本体である。２は除湿機本体の外殻を構成する箱体である。この箱体２は前箱体３と後箱体４とで構成され、箱体２の上部には空気吐出口５が形成され、後箱４には空気吸込口６が形成されている。
【００３４】
即ち図２で説明する除湿通路を通過した除湿空気が先の空気吹出口５より室内に吹出されるものである。又、上記除湿通路に室内空気を取り入れるのが空気吸込口６である。７はフィルターであり除湿通路に吸込まれる空気中のチリやホコリを吸着する。８は運転操作部であり、運転のＯＮ／ＯＦＦスイッチや発光ダイオードで運転状態を表示する部分である。この運転操作部８が設けられた面が除湿機本体１の正面となる。９は蒸発器（後述する）に付着した除湿水を貯溜するための貯水タンクである。この貯水タンク９は除湿機本体１の前面方向に引出して、取り外し、排水できるようになっている。又、この貯水タンク９の内部には図示してないが除湿水が満水になると除湿運転を停止させるフロート機構が備えられている。
【００３５】
通常、この貯水タンク９内の除湿水の量が確認出来るよう前箱体３の正面には水位窓が設けられている。
【００３６】
図２に於いて１０は圧縮機であり、後述する蒸発器、凝縮器と接続され、一連の冷凍サイクルを構成している。この圧縮機１０はタンク９の後方に位置して設けられている。１１は箱体２の内部を機械室と熱交換器室とに分離する為の仕切板であり、機械室と熱交換器室とを熱的に隔離するものである。
【００３７】
上記圧縮機１０は機械室内に位置する。１２は上記熱交換器室に設けられた蒸発器であり、先に説明したフィルター７の内方に取付けられている。１３は凝縮器で先の蒸発器１２の内方（風の下流側）に設けられている。
【００３８】
これらの蒸発器１２、凝縮器１３は前述したように前記圧縮機１０に接続され、冷凍サイクルを構成している。
【００３９】
この冷凍サイクルの動作を説明すると、圧縮機１０にて圧縮され高温高圧ガス冷媒は、凝縮器１３で放熱され気液混合の冷媒となる。凝縮器１３を通過した冷媒は図には示してないが減圧器（キャピラリチューブ）を通過することによって減圧され、低温の液冷媒となって蒸発器１２に入る。蒸発器１２では液冷媒が蒸発することによって室内空気と熱交換し、室内空気が冷却される。このとき室内空気中の水分が蒸発器１２に付着することによって除湿される。
【００４０】
１４はファンモータである。このファンモータ１４は凝縮器１３の後方に取付けられている。
【００４１】
１５は、ファンモータ１４に取付けられたファンである。このファン１５がファンモータ１４によって回転すると、室内空気が矢印Ｃの方向から空気吸込口６に吸引され、蒸発器１２、凝縮器１３を通過して、除湿通路を通って空気吐出口５から除湿空気が矢印Ａ方向に吐出される。
【００４２】
以上の構成及び機能を有する除湿機本体１は必要に応じ室から室へと移動される。ところが、上記除湿機本体１は質量が５ｋｇ〜１５ｋｇと重いので持ち運び時、持つ所がないと移動が難かしい。
【００４３】
これを助けるのがハンドル１７である。以下図３〜図７をもってハンドル１７に付いて説明する。先ず図３に於いて、１は除湿機本体である。尚、この除湿機本体１は横幅が３５０ｍｍ〜４５０ｍｍで奥行きが２５０ｍｍ〜３５０ｍｍ、そして高さが４００〜６００ｍｍ位のものである。５は空気吐出口、８は運転操作部、１７はハンドルである。このハンドル１７は図からも判るように除湿機本体１の上面に設けられ、使用者が該除湿機本体１を室から室へと移動する時には、両手が掛けられるよう除湿機本体１の幅一杯の長さに形成されている。換言すると除湿機上面幅一杯に設けられた空気吹出口５の外周３辺にまたがって設けられている。
【００４４】
この為ハンドル１７の握り部１７ａは運搬時両手が楽々掛けられる長さとされている。
【００４５】
又、上記ハンドル１７は全体形状がコ字状をしており、両端が軸２０に係止され、除湿機運転時には空気吐出口５の外周に位置し、運搬時には空気吐出口５の上方に位置するよう構成しているのでハンドルの握り部１７ａを大きくしても除湿機運転時邪魔になることがないものである。
【００４６】
即ち、持ち運び時には９０度まで空気吐出口５の上方に位置するよう起こされる構成をとっている。
【００４７】
次に図４をもって上記ハンドル１７の詳細構造を説明すると、先ず図４に於いて１７はハンドルであって、このハンドル１７は表面化粧部を構成する上面ハンドル体１８と下面ハンドル体１９より構成されている。そして、上面のハンドル体１８は射出成形機で成形されている。換言すると、合成樹脂材で作られていると云うことである。
【００４８】
又、下面ハンドル体１９は薄板鉄板をプレス等して作ったもので、使用者が手で触れる側は塗装された面としてある。又、この下面ハンドル体１９の折り曲げ端部は全て上記上面のハンドル体１８で覆われており、使用者に怪我等を与えない構造となっている。
【００４９】
このように下面ハンドル体１９を鉄板で作ってしまうことにより、該ハンドル１７を９０度起す回動軸部１７ｂの補強と実際に使用者に持たれる握り部１７ａ（図３参照）の補強部材を兼用することができるものである。その上、この薄板鉄板製の下面ハンドル体１９と上面ハンドル体１８の組み付けはネジ等で使って、簡単に行なうことが出来るようになるものである。
【００５０】
このことにより上記ハンドル１７は従来に比較し、持ち運びに支障のない所まで薄く出来るものである。
【００５１】
２０は、該ハンドル１７を回動自在にする軸である。この軸２０は図２、図４に示す如く、後箱体４に一体に設けられた軸受２１（第２の補強部材２２で補強されている軸受）と下面ハンドル体１９（薄板鉄板をプレス等して作った下面ハンドル体１９）の孔に図に示す如く差し込まれている。
【００５２】
又、この軸２０は、内部中空の円筒状パイプで長手方向全長にスリットを有し、ある程度バネ性を有するもので軸２０の径と各部材の孔径を合せておけば一旦孔に差し込まれると、該孔からは簡単には抜けないものであるが、軸２０は上面ハンドル体１８に依っても抜け止め構造とされている。
【００５３】
次に図５をもって上記ハンドル１７の使用状態を中心に説明する。図中４は除湿機本体１の箱体２を構成する後箱体。１７はハンドル。１８は上面ハンドル体であり、１９は下面ハンドル体であり、２０は軸である。
【００５４】
尚、図中２３は上面ハンドル体側に設けられた取付用ボスであり、２４は上面ハンドル体１８に下面ハンドル体１９をネジ止めする為のネジである。このネジは複数本使われるが、ネジ２４を取り外せば、該上面ハンドル体１８と、下面ハンドル体１９は容易に分離させることが出来る。２５はハンドル１７に手を掛けやすくする為に後箱体４に形成された凹部である。
【００５５】
即ち上記ハンドル１７を持って、除湿機本体１を室から室へと移動する時、或いは室内で異なる場所に移動する時には、先ず凹部２５を利用し、ハンドル１７に指を掛け、ハンドル１７を一点鎖線の如く約９０度起した後、一点鎖線で示す如く指をかけ軸２０を中心にハンドル１７を回動させ、握り部１７ａに片手或いは両手を掛け除湿機本体１を上に持ちあげるようにして、移動させるものである。
【００５６】
一方、持ち運び後は図５にも示す如く空気吹出口５を作る立上り壁５ａの外周側に倒し、後箱体４の形状の外観を損なわないようにしておくものである。
【００５７】
この時にあって、上記ハンドル１７は断面形状略三角形としているので立上り壁５ａと後箱体４の稜線４ａを傾斜面１７ｃで結ぶことが出来るものである。
【００５８】
次に図６、図７に於いて、薄板鉄板で作られた下面ハンドル体１９（補強部材を兼ねたもの）に付いて説明する。
【００５９】
図に於いて、４は後箱体、１９は下面ハンドル体、２１は後箱体と一体に形成された軸受、２２は第２の補強部材である。上記軸受２１は下面ハンドル体１９を図に示す如く隆起させ作られておりこの隆起した所に取付孔２１ａを形成している。この取付孔２１ａの径とほぼ同じ径の孔２２ｂをもった第２の補強部材２２の立上り片２２ａが図の如く重ねるよう設けられている。
【００６０】
１９ａは下面ハンドル体１９（補強部材）の両端に設けられた補強部。この補強部１９ａに設けられた孔１９ｂは取付孔２１ａの外側に重ね合うように設けられている。
【００６１】
尚、上記補強部１９ａに設けられた孔１９ｂが取付孔２１ａの大きさに設定されている。換言すると上記取付孔２１ａの両側に設けられた補強部１９ａに設けられた孔１９ｂ、立上り片２２ａに設けた孔２２ｂを貫通しハンドル１７を軸受２１に軸着するよう軸２０が設けられているものである。（図４の如く）
このことによりハンドル１７が箱体２に対し、回動自在に設けられているものである。
【００６２】
次に図８に於いて上記除湿機の持つ機能に付いて説明する。
【００６３】
次に図１で示した運転操作部８内に設けられた操作ボタンのもつ機能に付いて図８〜図１３及び図２を用いて説明する。
【００６４】
図８は図１の運転操作部８の詳細図であり、２６は操作パネルを示す。この操作パネル２６内には、電源ＳＷ、ＬＥＤを始めとし、連続運転、自動運転、ふとん乾燥、冬モード、衣類乾燥、結露防止等を行なう押しボタンが設けられている。本実施例は上記連続運転、ふとん乾燥等を行なう機能に冬モード機能を追加した所に特徴があるものである。
【００６５】
以下、この冬モード機能を中心に説明する。
【００６６】
最近の除湿機には連続運転、自動運転のように冷凍サイクル中の蒸発器と凝縮器に室内の空気を通し、その過程で室内空気中の湿度を奪い室内空気中の湿度を所定湿度に保つ機能の他に、温度センサー、湿度センサーそれにヒータを併用し、室内空気を加熱しながら湿度を取って行くふとん乾燥、結露防止機能が付加されている。この時使われるヒータ２７は図２に示す如くファン１５と空気吐出口５との間に設けられている。そして、このヒータ２７の発熱量は可変出来、冬場の如く室温が極端に下がり、蒸発器温度がマイナスにしてしまうような室温の時には発熱量を増し、蒸発器温度がマイナスにならない温度まで室内を暖房することが出来る可変容量を持っているものである。
【００６７】
尚、温度センサー、湿度センサーは図には示してないが除湿機本体１の風路中に取り付けられ、吸い込み温度或いは湿度、それに吐出温度或いは湿度を検知する。
【００６８】
次に図８の操作ボタンの内連続運転ボタンＡ、自動運転ボタンＢ、衣類乾燥ボタンＣ、冬モードボタンＤを押した時の除湿機本体１のもつ機能に付いて説明する。
【００６９】
先ず電源ＳＷを入れ、連続運転ボタンＡを押すと連続運転を表示するＬＥＤが点灯し、除湿機本体１は図９に示すように動作する。
【００７０】
即ち、ＬＥＤは点灯し、圧縮機１０、ファン１５（図２参照）が運転を開始する。この運転は室内の温度、湿度には関係なく停止命令が出るまで室内の湿気を取り続ける。勿論図９に示す如く、貯水タンク９内が満水になった時には、その時点で運転を一時中止するが、貯水タンク９内が空になれば再び運転を開始するものである。
【００７１】
次に自動運転ボタンＢを押すと、自動運転を表示するＬＥＤが点灯し、圧縮機１０、ファン１５（図２参照）が運転を開始する。
【００７２】
この運転は図１０にも示す如く、例えば図２の空気吸い込み口６近くに置いた湿度センサー（図示せず）により圧縮機１０、ファン１５を断続させるものである。尚この時の湿度は上が５６％下が５２％としておくものである。
【００７３】
勿論このものに於いても、貯水タンク９が満杯になればその時点で運転は停止し貯水タンク９を空にすれば、その時点から停止前と同じ運転を繰り返すものである。そして、停止命令を出すことにより、この運転は中止されるものである。
【００７４】
次に衣類乾燥ボタンＣを押すと、衣類乾燥運転を表示するＬＥＤが点灯し圧縮機１０、ファン１５（図２参照）が運転を開始する。
【００７５】
この衣類乾燥は衣類乾燥ボタンＣを押している間、圧縮機１０、ファン１５（図２参照）は運転を続ける。（先の連続運転と同じ）違うのは吸い込み温度を検知するセンサーによりヒータ２７（図２参照）を断続させる点である。即ち、上記ヒータ２７は吸い込み温度が１８℃になると切れ、１５℃になると入るものである。従ってこのヒータ２７は吸い込み温度が１８℃と１５℃の間で断続運転されているものである。
【００７６】
そしてこの運転の過程に於いて吸い込み温度を監視し続け湿度５０％到達時の吸い込み温度で残り運転時間（ｎ分）を決定するものである。
【００７７】
勿論この運転中貯水タンク９が満杯になれば空にするまで運転は中止されてしまうものである。
【００７８】
尚この時、ヒータ２７の発熱容量は吸い込み温度により変えることが出来る。即ち、この除湿機は室内の空気温度と蒸発器温度との差が１０℃前後で運転されるよう冷凍サイクルが設計されている。従って、室内の空気温度が＋１５℃の時は蒸発器温度は＋５℃となるが冬場のように室内の温度が＋１０℃以下となると当然蒸発器温度は０℃以下となる。蒸発器が０℃以下となると蒸発器が室内空気より奪った湿気は水滴でなく霜となって蒸発器に付着することとなる。
【００７９】
蒸発器に霜が付着すると除湿性能が低下する為、図では示してないが霜センサーが働き、霜取り運転（除霜運転）に入り、除湿運転を停止してしまう。このことにより衣類の乾燥時間ばかり長くなり、使用者にとっては不満の残る機能となる。
【００８０】
そこで本実施例においては、上記ヒータ２７の発熱量を可変とし、室温が１０℃以下（蒸発器温度が０℃以下）となるような時には発熱量を大として、室温を１０℃以上に上げる制御を行う。このようにすることにより、上記衣類乾燥機能は予め設定する時間で終了することが出来るものである。
【００８１】
次に図１２に示す冬モードボタンＤを押すと、冬モード運転を表示するＬＥＤが点灯し、圧縮機１０、ファン１５（図２参照）が運転を開始する。この冬モード運転中上記した圧縮機１０、ファン１５共に貯水タンク９の満水以外は連続運転となる。又、この冬モード運転（機能）は内部タイマ（図示せず）を除湿機本体内に備え、冬モード運転開始で９時間の切タイマをセットし、タイマ運転を開始する点である。（尚９時間タイマを採用するのは、朝８〜９時に外出し、午後４〜５時に帰宅するのを想定している。）
そしてヒータ２７は図１２にも示す如く、吸い込み温度が３５℃になったら切られ、吸い込み温度が３２℃以下になったら入るよう設定されている。
【００８２】
このヒータ２７を切る温度を３５℃と従来及び他の設定値の２倍以上高めに設定した理由は、先にも説明した如く温度センサー及び取付位置から来るバラツキを考慮したものである。
先にも縷縷説明した如く冬場の室内温度は＋１０℃近辺となることが往々にしてある。室温が＋１０℃となるとこれに連動して蒸発器温度が下がり露が霜となり、先の衣類乾燥で説明した如く、短時間に何回でも除霜運転に入り室内の温度管理が出来なくなってしまう。
【００８３】
換言すると、この冬モード運転は冬場に於いてはヒータ２７を常時発熱させる運転に近づけるため、ヒータ２７の切温度を高めたものである。このことにより冬場の衣類乾燥運転を代用することが出来るものである。
【００８４】
更に本機能（冬モード）は運転中吐出温度も監視しているもので、吐出温度が７０℃を超えたらヒータ２７への通電を中止し、４５℃になったら再びヒータ２７の発熱を開始するよう構成されている。
【００８５】
何故７０℃なのかと云えば、除湿機本体１を構成する樹脂材及び近くにある樹脂部材の変形温度に近くなるからである。
【００８６】
即ち、除湿機本体１に使われるアクリロニトリルブタジエンスチレン（ＡＢＳ）の変形温度は７５℃〜１０７℃と云われ、ポリプロピレン（ＰＰ）は８５℃〜１１０℃と云われている為である。
【００８７】
以上の如く、冬モードは既存のヒータ２７の発熱時間を従来に比較し、大幅に長くしたものであるが、この時吸い込み温度或いは吐出温度を監視しながら、室内温度が１０℃前後に下がっても使用可能とした新機能と云えるものである。更に、この冬モード機能を使えば従来冬場に於いては、衣類乾燥がうまく出来なかった除湿機にあっても、十分に衣類を乾燥させることが出来るものである。
【００８８】
次に図１３に於いて、図１３は図８中にある各運転（機能）仕様に基づく圧縮機及びヒータ等の動作をまとめた図である。
【００８９】
本実施例の中では、結露防止、ふとん乾燥運転については説明を省略してきたが、通常の場合結露止はヒータ２７を空気吸い込み温度で＋１５℃で切としてしまうので、これは先に説明した衣類乾燥と同じ動作パターンを繰り返すものである。又、ふとん乾燥については、圧縮機の動作中ヒータ２７を発熱させるものであるが、この運転時間が１〜３時間と短時間人が付いていて行なう運転であった。
【００９０】
本実施例の冬モード機能（運転）は図からも判るようにヒータＯＮ温度を３５℃と他に比較し高めに設置しヒータの発熱時間を長くし、室温を高くしたところに特徴があるものである。即ち、ヒータのＯＮ温度を高くすると室温が低い為になかなか設定温度迄には達成しない為、ヒータ発熱時間が延びるものである。
【００９１】
本実施例は以上説明した如く構成したものであるから、次のような効果が得られるものである。
即ち、圧縮機及びファン等を運転し、除湿作用を行なうと共に吐出空気を加熱するヒータを備えた除湿機に於いて、上記吐出空気を加熱するヒータの入・切温度を冬場の室内空気温度より２倍以上高い設定値とすると共に、吐出空気温度が樹脂の変形温度近くに達した時（第２の設定値）、上記ヒータへの通電を一時的に中断する運転を行なわせる操作ボタン（冬モード）を操作表示板内に設けたものであるから、使用者が冬ボタンを押すと、外出中樹脂部材を傷めることなく、衣類乾燥が自動的に出来てしまうことは勿論、室内空気温度が下がることはあっても従来の如く除霜運転で除湿性能を落すことなく、更には帰宅時の室温も高めに保っておくことが出来るものである。
【００９２】
また、冬場の室内空気より２倍以上高い第１の設定値温度を３５℃〜３２℃とし、３５℃でヒータ通電を中止し、３２℃以下でヒータへの通電を開始するようにしたものであるから、運転時間中、蒸発器の霜取りの為に除霜を行なわなくて済むので安定した除湿運転を長時間にわたって、行なうことが出来るものである。
【００９３】
また、第２の設定温度は７０℃としたものであるから、除湿機は勿論のこと、周囲にある樹脂製の製品を傷めることがないものである。
【００９４】
また、冬モード運転はタイマー等を使用して最大で９時間としたものであるから、朝家を出るときに洗濯物を干していけば帰宅する迄には乾燥が終了していることは勿論、室内の空気温度をエアコンに代り適温に保持しておいてくれることは勿論、最大で９時間の運転で終わることより、操作ボタンの押し忘れ（特にヒータ等の運転を中止する為に）等に依る事故を防止することが出来るものである。
【００９５】
また、冷凍サイクルを備え、圧縮機及びファン等を運転し除湿作用を行なうと共に吐出空気を加熱するヒータを備えた除湿機に於いて、上記吐出空気を加熱するヒータの入・切温度を冬場の室内空気温度より２倍以上高い３５℃〜３２℃とすると共に、吐出空気温度が７０℃以上になった時、ヒータへの通電を一時的に中断する運転を行なわせる操作ボタン（冬モード）を操作表示板内に設けると共に、上記冬モード運転はタイマー等を使用して、最大で９時間以内としたものであるから、使用者が冬ボタンを押すと、外出中樹脂部材を傷めることなく、衣類乾燥が自動的に出来てしまうことは勿論、室内空気温度が下がることはあっても従来の如く除霜運転で除湿性能を落すことなく、更には帰宅時の室温も高めに保持されているものである。その上、冬モード運転は最大９時間で切れてしまうのでヒータの消し忘れ等の心配もないものである。
【図面の簡単な説明】
【００９６】
【図１】本実施例に係る除湿機の正面図である。
【図２】図１のＡ−Ａ断面図である。
【図３】図１の上面図である。
【図４】図３のＢ−Ｂ拡大断面図である。
【図５】図３のＣ−Ｃ拡大断面図である。
【図６】本実施例の補強部材の要部詳細を示す斜視図である。
【図７】図６を矢印Ｐ方向から見た要部詳細斜視図である。
【図８】図１の運転操作部の詳細図である。
【図９】図８中の連続運転時の圧縮機等の動作及び運転表示ランプ（ＬＥＤ）の点灯状態を示す図である。
【図１０】図８中の自動運転時の温度制御に伴なう圧縮機等の動作及び運転表示ランプ（ＬＥＤ）の点灯状態を示す図である。
【図１１】図８中のふとん乾燥運転時の吸い込み温度制御に伴なう圧縮機等の動作及び運転表示ランプ（ＬＥＤ）の点灯状態を示す図である。
【図１２】図８中の冬モード運転時の吸い込み温度及び吐出温度制御に伴なう圧縮機等の動作及び運転表示ランプ（ＬＥＤ）の点灯状態を示す図である。
【図１３】図８中にある各運転仕様に基づく圧縮機及びヒータの動作をまとめた図である。
【図１４】従来構造を示す除湿機の斜視図である。
【図１５】図１４の縦断面図である。
【符号の説明】
【００９７】
１…除湿機本体、２…箱体、３…前箱体、４…後箱体、４ａ…綾線、５…空気吐出口、５ａ…立上り壁、６…空気吸込口、７…フィルター、８…運転操作部、９…貯水タンク、１０…圧縮機、１１…仕切板、１２…蒸発器、１３…凝縮器、１４…ファンモータ、１５…ファン、１６…仕切板、１７…ハンドル、１７ａ…握り部、１７ｂ…回動部、１７ｃ…傾斜面、１８…上面ハンドル体、１９…下面ハンドル体、１９ａ…補強部、１９ｂ…孔、２０…軸、２１…軸受、２１ａ…取付孔、２２…第２の補強部材、２２ａ…立上り片、２２ｂ…孔、２３…ボス、２４…ネジ、２５…凹部（ハンドルの手掛け用）、２６…操作パネル、２７…ヒータ。
【図１】
2006263632.tif 000003
【図２】
2006263632.tif 000004
【図３】
2006263632.tif 000005
【図４】
2006263632.tif 000006
【図５】
2006263632.tif 000007
【図６】
2006263632.tif 000008
【図７】
2006263632.tif 000009
【図８】
2006263632.tif 000010
【図９】
2006263632.tif 000011
【図１０】
2006263632.tif 000012
【図１１】
2006263632.tif 000013
【図１２】
2006263632.tif 000014
【図１３】
2006263632.tif 000015
【図１４】
2006263632.tif 000016
【図１５】
2006263632.tif 000017